(57)【要約】【課題】液晶表示部の照明輝度をユーザーに違和感なく変化させて省エネルギーをはかること。【解決手段】入力部から入力される情報を処理して液晶表示部に表示する制御部と、液晶表示部を照明する照明部と、入力部における入力操作の有無を検出する入力操作検出部と、時間を計時する計時部と、照明部の輝度を制御する輝度制御部とを備え、輝度制御部は入力操作が有ると所定時間にわたって輝度を徐々に増大させ、入力操作が無いと輝度を徐々に減少させる。【選択図】  図２
2004354736.tif 000002
【特許請求の範囲】
【請求項１】
入力部から入力される情報を処理して液晶表示部に表示する制御部と、液晶表示部を照明する照明部と、入力部における入力操作の有無を検出する入力操作検出部と、時間を計時する計時部と、照明部の輝度を制御する輝度制御部とを備え、輝度制御部は入力操作が有ると所定時間にわたって輝度を徐々に増大させ、入力操作が無いと輝度を徐々に減少させる照明光源付き電子機器。
【請求項２】
入力部から入力される情報を処理して液晶表示部に表示する制御部と、液晶表示部を照明する照明部と、入力部における入力操作の有無を検出する入力操作検出部と、時間を計時する計時部と、入力操作回数を計数する計数部と、照明部の輝度を制御する輝度制御部とを備え、輝度制御部は所定時間内に所定回数の入力操作が有ると所定時間にわたって輝度を徐々に増大させ、入力操作が無いと輝度を徐々に減少させる照明光源付き電子機器。
【請求項３】
輝度制御部は、予め設定された最大および最小輝度の範囲内で輝度を制御する請求項１又は２記載の照明光源付き電子機器。
【発明の詳細な説明】
【０００１】
【発明の属する技術分野】
この発明は照明光源付き電子機器に関し、とくにバックライト付き液晶ディスプレイを備えた電子機器に関する。
【０００２】
【従来の技術】
この発明に関連する技術としては、次のようなものが知られている。
バックライト付きの液晶表示パネルと、このバックライトの明るさを調整するインバータ回路とを備えた可搬式の情報処理装置であって、前記インバータ回路の調整手段としてディジタルポテンショメータを設けるとともに、所定時間を超えてアクセスがないとき前記インバータ回路の出力を１段階減少させかつこのような所定時間を超えたアクセス無しの状態が繰り返すとき前記インバータ回路の段階的出力減少を繰り返す一方所定時間内にアクセスがあったときは前記インバータ回路の出力を初期状態に戻すように前記ディジタルポテンショメータを制御する手段と、前記の繰り返し回数が所定回数を超えたときに前記バックライトおよび液晶表示パネルをオフにする手段とを備えたことを特徴とする可搬式情報処理装置（例えば、特許文献１参照）。
【０００３】
【特許文献１】
特開平５−１８８８６９号公報
【０００４】
【発明が解決しようとする課題】
ところで、このような装置においては、バックライトの輝度が一定時間経過後に段階的に変わるようになっている。そのためユーザーがバックライトの輝度変化に容易に気付き、画面を閲覧中のユーザーに違和感や不快感を与えることがあった。
【０００５】
この発明はこのような事情を考慮してなされたもので、液晶表示部を照明する光源（例えばバックライト）を、ユーザーに違和感を与えることなく円滑に調光し、それによって光源の消費電力を節減できる電子機器を提供するものである。
【０００６】
【課題を解決するための手段】
この発明は、入力部から入力される情報を処理して液晶表示部に表示する制御部と、液晶表示部を照明する照明部と、入力部における入力操作の有無を検出する入力操作検出部と、時間を計時する計時部と、照明部の輝度を制御する輝度制御部とを備え、輝度制御部は入力操作が有ると所定時間にわたって輝度を徐々に増大させ、入力操作が無いと輝度を徐々に減少させる照明光源付き電子機器を提供するものである。
【０００７】
【発明の実施の形態】
この発明における照明光源付き電子機器とは、例えば、電子辞書，携帯端末，パーソナルコンピュータのような表示画面付きの機器である。
その制御部は、ＣＰＵ，ＲＯＭ，ＲＡＭなどからなるマイクロコンピュータにより、入力操作検出部と計時部と輝度制御部と共に一体的に構成することができる。
また、手動操作部には、キーボード，マウス，タブレットスイッチなどを用いることができる。
【０００８】
液晶表示部には、いわゆるＬＣＤ（液晶表示パネル）を用いることができる。
また、液晶表示部を照明する光源は、バックライトとして、複数の白色ＬＥＤアレーと、そのＬＥＤアレーからの光を液晶表示部の裏面に導く導光板とによって構成できるが、これに限定されるものではない。
それは、例えば、液晶表示部を表面又は側面から照明する光源であってもよい。
【０００９】
この発明は他の観点から、入力部から入力される情報を処理して液晶表示部に表示する制御部と、液晶表示部を照明する照明部と、入力部における入力操作の有無を検出する入力操作検出部と、時間を計時する計時部と、入力操作回数を計数する計数部と、照明部の輝度を制御する輝度制御部とを備え、輝度制御部は所定時間内に所定回数の入力操作が有ると所定時間にわたって輝度を徐々に増大させ、入力操作が無いと輝度を徐々に減少させる照明光源付き電子機器を提供するものである。
【００１０】
また、この発明において、輝度制御部は、予め設定された最大および最小輝度の範囲内で輝度を制御するようにしてもよい。
【００１１】
【実施例】
以下、図面に示す実施例に基づいて、この発明を詳述する。これによってこの発明が限定されるものではない。
図１はこの発明の一実施例の電子辞書の構成を示すブロック図である。制御部１は検索部７を備える。入力部、ここではキーボード２から英単語が入力されると、検索部７は、英和辞書を格納したメモリつまり辞書部３から対応する和文の単語を検索し、出力部としてのＬＣＤ４に表示するようになっている。
【００１２】
辞書部３にはＣＤ−ＲＯＭ，ＦＤ又はフラッシュメモリなどを用いることができる。ＬＣＤ４は、バックライトつまり、複数の白色ＬＥＤと、白色ＬＥＤの光をＬＣＤ４の裏面全体に導く導光板とからなる照明部５により照明される。
【００１３】
さらに、制御部１は、キーボード２における入力操作の有無を検出する入力操作検出部８と、時間を計時する計時部９と、入力操作回数を計数する計数部１０と、照明部５の輝度を制御する輝度制御部１１を備える。
【００１４】
輝度制御部１１は電力供給部６へＰＷＭパルス信号を出力し、電力供給部６はそれを受けて照明部５へ供給する電流をＰＷＭ制御し、それによって照明部５の輝度が制御されるようになっている。
また、制御部１は、ＣＰＵ，ＲＯＭ，ＲＡＭからなるマイクロコンピュータによって構成される。
【００１５】
このような構成におけるバックライト、つまり照明部５の輝度制御方法を、２つのモード、つまり第１および第２モードに分けて以下に説明する。
第１モード
図２は第１モードにおける輝度制御方法を示すフローチャートである。また、図３は第１モードにおける入力操作と輝度の変化とを示す説明図である。図３における黒色は入力操作時点を表わす。
【００１６】
図２に示すように、キーボード２で入力操作が行われると（ステップＳ１）、現在、照明部５による照明輝度が予め設定された最大輝度Ｐであるか否かが確認される（ステップＳ２）。
【００１７】
最大輝度Ｐである場合には輝度は図３に示すように入力操作に対して変化せず最大輝度Ｐに保持される。最大輝度Ｐでない場合には、設定時間（例えば３秒間）にわたって輝度が設定増分（例えば、最大輝度Ｐの５％）まで徐々に増大する（ステップＳ３）。
【００１８】
一方、ステップＳ１において入力操作が行われないときには、輝度が増大中であるか否かが確認される（ステップＳ４）。増大中でない場合には、さらに現在の輝度が予め設定された最小輝度Ｑであるか否かが確認される。最小輝度Ｑでない場合には輝度を、予め設定された変化率（例えば、毎秒Ｐの１％）で徐々に減少させる（ステップＳ６）。
【００１９】
ステップＳ４で輝度が増大中の場合およびステップＳ５で輝度が最小輝度Ｑの場合には、ルーチンはステップＳ１へ戻る。このような手順により、輝度は入力操作に対応して図３に示すように制御される。
【００２０】
第２モード
図４は第２モードにおける輝度制御方法を示すフローチャートである。また、図５は第２モードにおける入力操作と輝度の変化とを示す説明図である。図５における黒色は入力操作時点を表わす。なお、図４は図３におけるステップＳ１のみがステップＳ１ａに置換されたもので、その他のステップは図３と同等である。
【００２１】
図４に示すように、キーボード２において、所定時間（例えば３秒）内に所定回数（例えば３回）以上の連続入力操作が行われると（ステップＳ１ａ）、現在、照明部５による照明輝度が予め設定された最大輝度Ｐであるか否かが確認される（ステップＳ２）。
【００２２】
最大輝度Ｐである場合には、輝度は図３に示すように変化せず入力操作に対して最大輝度Ｐに保持される。最大輝度Ｐでない場合には、設定時間（例えば３秒間）にわたって輝度が設定増分（例えば、最大輝度Ｐの５％）まで徐々に増大する（ステップＳ３）。
【００２３】
一方、ステップＳ１ａにおいて連続入力操作が行われないときには、輝度が増大中であるか否かが確認される（ステップＳ４）。増大中でない場合には、さらに現在の輝度が予め設定された最小輝度Ｑであるか否かが確認される。最小輝度Ｑでない場合には輝度を、予め設定された変化率（例えば、毎秒Ｐの１％）で徐々に減少させる（ステップＳ６）。
【００２４】
ステップＳ４で輝度が増大中の場合およびステップＳ５で輝度が最小輝度Ｑの場合には、ルーチンはステップＳ１へ戻る。このような手順により、輝度は入力操作に対応して図５に示すように制御される。
【００２５】
【発明の効果】
この発明によれば、入力部の入力操作に対応して輝度が徐々に変化するので、ユーザーに違和感を与えることなく照明部の調光を行い、それによって照明電力を節減することができる。
【図面の簡単な説明】
【図１】この発明の実施例の構成を示すブロック図である。
【図２】この発明の実施例の動作を示すフローチャートである。
【図３】この発明の実施例の輝度変化を示す説明図である。
【図４】この発明の実施例の他の動作を示すフローチャートである。
【図５】この発明の実施例の他の輝度変化を示す説明図である。
【符号の説明】
１  制御部
２  入力部
３  辞書部
４  出力部
５  照明部
６  電力供給部
７  検索部
８  入力操作検出部
９  計時部
１０  計数部
１１  輝度制御部
【図１】
2004354736.tif 000003
【図２】
2004354736.tif 000004
【図３】
2004354736.tif 000005
【図４】
2004354736.tif 000006
【図５】
2004354736.tif 000007